(57)【要約】      （修正有）【課題】美容院、理髪店などで利用客が仰向けの状態で洗髪する際に、シャンプーボウルの縁に着脱可能に取付け、頭部及び頚椎部分を指示するシャンプーボウル用枕に関する発明である。【解決手段】先端にかけて幅が狭く形成され先端に孔４ｅを穿設した左右突出板４ｃ、４ｄを連設し、中央正面に先端に向かうに従って幅が狭く形成され先端に孔４ｂを穿設した前芯板４ａを連設した長方形状の芯板４と、前記左右突出板４ｃ、４ｄを被覆し先端に向かって幅が狭く形成され先端に吸盤３を取り付けた左右アーム２ｂ、２ｃを両端に備え中央正面に前記前芯板４ａを被覆し先端に向かって幅が狭く形成され先端に吸盤３を取り付けた前アームを備えた前記芯板４を被覆する略円柱状の枕本体２とからなる。【選択図】図１
2008086746.tif 000002
【特許請求の範囲】
【請求項１】
先端にかけて幅が狭く形成され先端に孔を穿設した左右突出板を連設し、中央正面に先端に向かうに従って幅が狭く形成され先端に孔を穿設した前芯板を連設した長方形状の芯板と、前記左右突出板を被覆し先端に向かって幅が狭く形成され先端に吸盤を取り付けた左右アームを両端に備え中央正面に前記前芯板を被覆し先端に向かって幅が狭く形成され先端に吸盤を取り付けた前アームを備えた前記芯板を被覆する略円柱状の枕本体とからなることを特徴とするシャンプーボウル用枕。
【請求項２】
先端に向かって幅が狭く形成され先端に吸盤を取り付けた左右アームを両端に備え中央正面に先端に向かって幅が狭く形成され先端に吸盤を取り付けた前アームを備えた略円柱状の枕本体からなることを特徴とする請求項１に記載のシャンプーボウル用枕。
【請求項３】
先端に連結部材を介して左吸盤を備えた左アーム及び先端に連結部材を介して右吸盤を備えた右アームを左右に連結し、先端背面側に連結部材を介して下吸盤を備えた下アームを下部に連結した枕本体と、前記枕本体の上面に被せて取り付ける枕本体カバーとからなることを特徴とするシャンプーボウル用枕。
【請求項４】
先端背面側に連結部材を介して上吸盤を備えた上アームを上部に連結し、先端背面側に連結部材を介して下吸盤を備えた下アームを下部に連結した枕本体と、前記枕本体の上面に被せて取り付ける枕本体カバーとからなることを特徴とするシャンプーボウル用枕。
【請求項５】
背面側に左右吸盤を取り付けた前面平坦部を形成し、正面側中央に中央吸盤を取り付けた背面突出部を形成した枕本体からなることを特徴とするシャンプーボウル用枕。
【請求項６】
先端背面側に連結部材を介して２つの下吸盤を備えた下アームを下部に連結した枕本体からなることを特徴とする請求項３に記載のシャンプーボウル用枕。
【請求項７】
先端背面側に連結部材を介して２つの下吸盤を備えた下アームを下部に連結した枕本体からなることを特徴とする請求項４に記載のシャンプーボウル用枕。
【請求項８】
先端背面側に二股連結部材を介して２つの下吸盤を備えた下アームを下部に連結した枕本体からなることを特徴とする請求項３に記載のシャンプーボウル用枕。
【発明の詳細な説明】
【技術分野】
【０００１】
本発明は、美容院、理髪店などで利用客が仰向けの状態で洗髪する際に、シャンプーボウルの縁に着脱可能に取付け、頭部及び頚椎部分を指示するシャンプーボウル用枕に関する発明である。
【背景技術】
【０００２】
従来、美容院や理髪店等で洗髪する際、利用客はシャンプーボウルの凹みに首をのせ、頭部がシャンプーボウル内に位置した状態で洗髪を行っていた。
【０００３】
また、特許文献１に示すように、シャンプーボウル１１の縁部に着脱自在の装着部１２を備え、人の頭を支えてシャンプーするためのシャンプー用身体支持体１０であって、装着部１２の上部に仰向けの施政でシャンプーされる人の首を載置して稜線に凹み１３を備える首載置部１４を有し、装着部１２の側面に連結するアーム１５の先端部に頭を載置して指示できる受け皿１６を備える頭載置部１７を有志、しかも、首載置部１４には凹み１３の両端部で着脱自在に固定でき、シャンプー時の漏水を防止するために人の首と凹み１３に密着できる弓弦部がゴム弾性体１８からなる弓状フレーム１９が防水シート２０で包含されて有することを特徴とし、頭の重量を支える首の負担を軽減し、漏水が首から垂れ下がるのを防止することができるシャンプー用身体支持体が公開されている。
【０００４】
また、特許文献２に示すように、寝台型洗髪器具の洗髪容器の上縁部に装着自在な支持部と、支持部から延設されて被洗髪者の頭部を受ける受け部とを備えたことを特徴とする寝台型洗髪器具の洗髪容器用補助具。更に、支持部に被洗髪者の首の一部が入る凹部を形成したことを特徴とし、頚椎の過剰後屈を防止する前記寝台型洗髪器具の洗髪容器用補助具が公開されている。
【０００５】
しかしながら、従来の洗髪方法では首のみで頭部を支えるため首（頚椎部分）に負担がかかっており、このように首が圧迫されているにもかかわらず、洗髪により首が左右に揺られることにより頚椎損傷や動脈硬化を起こし脳血管障害になる恐れがあった。
【０００６】
上記のような問題の発生を防ぐ目的で、特許文献１のシャンプー用身体支持体や特許文献２の洗髪容器用補助具が公開されているが、これらの発明は製造が煩雑であり、また大型でもある。これに加え、シャンプーボウルへの着脱が困難であるため、利用しにくいものである。
【０００７】
シャンプーボウルには様々な形状、デザインのものが存在し、美容院及び理髪店によって異なるシャンプーボウルを使用しているが、首の負担を和らげる形状のシャンプーボウルに取り替えるには高額な費用がかかり安易に交換できるものではなかった。
【特許文献１】特開２００４−２９０４４５号公報
【特許文献２】特開平１１−２４４０３１号公報
【発明の開示】
【発明が解決しようとする課題】
【０００８】
そこで、本発明は、様々な形状のシャンプーボウルに容易に着脱可能で、首に負担のかかることが無く快適に洗髪することができ、防水、防錆性に優れ、更に簡易コンパクトな構成であるため安価で利用しやすいシャンプーボウル用枕を提供することを目的とするものである。
【課題を解決するための手段】
【０００９】
本発明は、上記の課題を解決するために、先端にかけて幅が狭く形成され先端に孔４ｅを穿設した左右突出板４ｃ、４ｄを連設し、更に中央正面に先端に向かうに従って幅が狭く形成され先端に孔４ｂを穿設した前芯板４ａを連設した長方形状の芯板４と、前記左右突出板４ｃ、４ｄを被覆し先端に向かって幅が狭く形成され先端に吸盤３を取り付けた左右アーム２ｂ、２ｃを両端に備え中央正面に前記前芯板４ａを被覆し先端に向かって幅が狭く形成され先端に吸盤３を取り付けた前アームを備えた前記芯板４を被覆する略円柱状の枕本体２とからなることを特徴としたシャンプーボウル用枕と、先端に向かって幅が狭く形成され先端に吸盤を取り付けた左右アームを両端に備え中央正面に先端に向かって幅が狭く形成され先端に吸盤を取り付けた前アームを備えた略円柱状の枕本体とからなることを特徴とするシャンプーボウル用枕の構成とした。
【発明の効果】
【００１０】
本発明のシャンプーボウル用枕は先端に吸盤を取り付けた変形可能な左右アーム及び前アームで枕本体を固定するため様々な形状のシャンプーボウルに簡単にしっかりと取付けることができ、取り外しも容易である。
【００１１】
また、略Ｔ字型の変形可能な芯板を発泡ウレタンでインサート成形しているため軽く、一体成形のため内部に水が浸入することも無く、表面は撥水性があるため掃除や保管などの取り扱いも容易である。
【００１２】
更に、本発明であるシャンプーボウル用枕の第２実施例はウレタンのみの一体成形であるため、非常に軽く、シャンプーボウルに併せて容易に変形することができ、水の浸入もなく、表面は撥水性があるため更に取り扱いも容易である。
【００１３】
その上、前述のように発泡ウレタン又はウレタンにより形成されているため、弾力性に富み、頭部が圧迫されるようなこともなく当然首（頚椎部分）を痛めることもなく、快適にそして安全に洗髪をすることができる。
【発明を実施するための最良の形態】
【００１４】
利用者の首（頚椎部分）の負担を軽減し安全にしかも快適に洗髪を受けるとができ、更に既存の様々なシャンプーボウルに対応し掃除や保管などの取り扱いが容易なシャンプーボウル用枕という目的を、変形可能な芯板を発泡ウレタンでインサート成型し各アームの先端に吸盤を取付けたことと、ウレタンのみで一体成形し各アームの先端に吸盤を取り付けたことによって実現した。
【実施例１】
【００１５】
いかに添付図面に基づき、本発明であるシャンプーボウル用枕について詳細に説明する。図１は本発明であるシャンプーボウル用枕の斜視図、図２はシャンプーボウル用枕の正面図、図３はシャンプーボウル用枕の平面図、図４はシャンプーボウル用枕の左側面図、図５はシャンプーボウル用枕のＡ−Ａ線断面図、図６はシャンプーボウル用枕のＢ−Ｂ線断面図である。
【００１６】
図１に示すように、本発明であるシャンプーボウル用枕１は、先端にかけて幅が狭く形成され先端に孔４ｅを穿設した左右突出板４ｃ、４ｄを連設し更に中央正面に先端に向かうに従って幅が狭く形成され先端に孔４ｂを穿設した前芯板４ａを連設した長方形状の芯板４と、前記左右突出板４ｃ、４ｄを被覆し先端に向かって幅が狭く形成され先端に吸盤３を取り付けた左右アーム２ｂ、２ｃを両端に備え中央正面に前記前芯板４ａを被覆し先端に向かって幅が狭く形成され先端に吸盤３を取り付けた前アームを備えた前記芯板４を被覆する略円柱状の枕本体２とからなる。
【００１７】
図２に示すように、本発明であるシャンプーボウル用枕１を正面より見た場合、後頭部を載せる枕本体２の上面は中央に向かうに従って緩やかに湾曲した凹部２ａを形成しており、枕本体２に後頭部を載せた際に後頭部が安定した状態を保つことができる。
【００１８】
前記枕本体２の両端に連設された左右アーム２ｂ、２ｃは先端に向かって幅が狭く形成されており、各アーム２ｂ、２ｃの先端には吸盤３が取り付けられている。前記吸盤３は各アーム２ｂ、２ｃの正面側に吸盤３が正面を向くように取り付けられている。
【００１９】
前記枕本体２の凹部２ａ付近より正面に向かって連設され先端が下方に向かった状態となっている前アーム２ｄは先端に向かうに従って幅が狭く形成されており、先端には吸盤３が取り付けられている。前アーム２ｄに取り付けられた吸盤３は前アーム２ｄの背面側に吸盤が背面を向くように取り付けられている。
【００２０】
図３及び図４に示すように、前記枕本体２の正面に連設された前アーム２ｄは通常状態では前アーム２ｄの途中に湾曲部２ｅを形成して先端が下方に向かった状態となっており、左右アーム２ｂ、２ｃの先端に取り付けられた吸盤３と、前アーム２ｄの先端に取り付けられた吸盤３が向かい合った状態となっている。
【００２１】
図５及び図６に示すように、前芯板４ａは前アーム２ｄにより被覆されており、前アーム２ｄの先端に取り付けられた吸盤３の連結部３ａは、前芯板４ａの先端に穿設された孔４ｂと前アーム２ｄの先端に穿設された孔２ｆを貫通して取り付けられている。尚、連結部３ａの背面側は孔４ｂ、２ｆの径よりも若干大きく、正面側は吸盤３が形成されているため吸盤３と前アーム２ｄ及び前芯板４ａはしっかりと連結されている。
【００２２】
前記前芯板４ａを被覆している前アーム２ｄは伸縮性と弾力性に富んだ素材である発泡ウレタンでインサート成形されており、変形可能な芯板４ａに従って変形することができる。尚、本発明では前アーム２ｄの成形に発泡ウレタンを使用したが、同じように伸縮性と弾力性に富む素材であればよく、特に発泡ウレタンに限定したものではない。
【００２３】
図６に示すように、左右突出板４ｃ、４ｄ及び芯板４は左右アーム２ｂ、２ｃ及び枕本体２により被覆されており、左右アーム２ｂ、２ｃの先端に取り付けられた吸盤３の連結部３ａは左右突出板４ｃ、４ｄの先端に穿設された孔４ｅと左右アーム２ｂ、２ｃの先端に穿設された孔２ｆを貫通して取り付けられている。尚、連結部３ａの背面側は孔４ｅ、２ｆの径よりも若干大きく、正面側は吸盤３が形成されているため吸盤３と左右アーム２ｂ、２ｃ及び左右突出板４ｃ、４ｄはしっかりと連結されている。
【００２４】
前記左右突出板４ｃ、４ｄと芯板４を被覆している左右アーム２ｂ、２ｃ及び枕本体２は伸縮性と弾力性に富んだ素材である発泡ウレタンによりインサート成形されており、変形可能な左右突出板４ｃ、４ｄ及び芯板４に従って変形することができる。尚、前述の前アーム２ｄと同じように、左右アーム２ｂ、２ｃ及び枕本体２についても伸縮性と弾力性に富む素材であればよく、特に発泡ウレタンに限定したものではない。
【００２５】
図７は本発明であるシャンプーボウル用枕を使用した状態を示した図である。図７に示すように、本発明であるシャンプーボウル用枕１の取付けの際は、まずシャンプーボウル用枕１を従来利用者が首を載せていたシャンプーボウル５の縁にシャンプーボウル５とシャンプーボウル用枕１の枕本体２が同じ高さになるように合わせる。
【００２６】
次に枕本体２から左右に伸びている左右アーム２ｂ、２ｃをシャンプーボウル５の内側に吸盤３を介して吸着させる。このとき、シャンプーボウル５の内側の形状に合わせて左右アーム２ｂ、２ｃを変形させることによって最も安定した状態で吸着させるように注意する。また、後に枕本体２を引き上げながら前アーム２ｄを吸着させるため、枕本体２がシャンプーボウル５の縁よりも若干低い位置で左右アーム２ｂ、２ｃを取り付けておくと最終的に枕本体２とシャンプーボウル５の縁が同じ高さになるように取り付けやすい。
【００２７】
次にシャンプーボウル用枕１の前アーム２ｄを上方に引き上げ枕本体２とシャンプーボウル５の縁が同じ高さになった状態で、前アーム２ｄをシャンプーボウル５の縁を包むようにシャンプーボウル５の正面外側に出し、前アーム２ｄの先端を下方に引っ張りながら前アーム２ｄの吸盤３をシャンプーボウル５の外面に吸着させる。
【００２８】
以上のように３点で引き合った状態でシャンプーボウル用枕１をシャンプーボウル５に取り付けるため非常に安定性があり、洗髪の間は首から後頭部が真っ直ぐな状態を保つことができる。そのため、首（頚椎部分）がシャンプーボウル５に圧迫されることが無くなり利用者は安全にしかも快適に洗髪を受けることができる。
【実施例２】
【００２９】
図８は本発明であるシャンプーボウル用枕の第２実施例の斜視図、図９はシャンプーボウル用枕の第２実施例のＣ−Ｃ線断面図、図１０はシャンプーボウル用枕の第２実施例のＤ−Ｄ線断面図である。
【００３０】
図８から図１０に示すように、本発明であるシャンプーボウル用枕１ａは、前記実施例１で示したシャンプーボウル用枕１とほぼ同じ形状をしている。
【００３１】
即ち、シャンプーボウル用枕１ａは、先端に向かって幅が狭く形成され先端に吸盤８を取り付けた左右アーム７ｂ、７ｃを両端に備え中央正面に先端に向かって幅が狭く形成され先端に吸盤８を取り付けた前アーム７ｄを備えた略円柱状の枕本体７とからなる。
【００３２】
図８に示すように、本発明であるシャンプーボウル用枕１ａを正面より見た場合、後頭部を載せる枕本体７の上面は中央に向かうに従って緩やかに湾曲した凹部７ａを形成しており、枕本体７に後頭部を載せた際に後頭部が安定した状態を保つことができる。
【００３３】
前記枕本体２の両端に連設された左右アーム７ｂ、７ｃは先端に向かって幅が狭く形成されており、各アーム７ｂ、７ｃの先端には吸盤８が取り付けられている。前記吸盤８は各アーム７ｂ、７ｃの正面側に吸盤８が正面を向くように取り付けられている。
【００３４】
前記枕本体７の凹部７ａ付近より正面に向かって連設され先端が下方に向かった状態となっている前アーム７ｄは先端に向かうに従って幅が狭く形成されており、先端には吸盤８が取り付けられている。前アーム７ｄに取り付けられた吸盤８は前アーム７ｄの背面側に吸盤が背面を向くように取り付けられている。
【００３５】
図８に示すように、前記枕本体７の正面に連設された前アーム７ｄは通常状態では前アーム７ｄの途中に湾曲部７ｅを形成して先端が下方に向かった状態となっており、左右アーム７ｂ、７ｃの先端に取り付けられた吸盤８と、前アーム７ｄの先端に取り付けられた吸盤８が向かい合った状態となっている。
【００３６】
図８及び図９に示すように、前アーム７ｄの先端に取り付けられた吸盤８の連結部８ａは、前アーム７ｄの先端に穿設された孔７ｆを貫通して取り付けられている。尚、連結部８ａの背面側は孔７ｆの径よりも若干大きく、正面側は吸盤８が形成されているため吸盤８と前アーム７ｄはしっかりと連結されている。
【００３７】
前記前アーム７ｄは伸縮性と弾力性に富んだ素材であるウレタンで一体成形されており、変形することができる。尚、本発明では前アーム７ｄの成形にウレタンを使用したが、同じように伸縮性と弾力性に富む素材であればよく、特にウレタンに限定したものではない。
【００３８】
図８及び図９に示すように、左右アーム７ｂ、７ｃの先端に取り付けられた吸盤８の連結部８ａは左右アーム７ｂ、７ｃの先端に穿設された孔７ｆを貫通して取り付けられている。尚、連結部８ａの背面側は孔７ｆの径よりも若干大きく、正面側は吸盤８が形成されているため吸盤８と左右アーム７ｂ、７ｃはしっかりと連結されている。
【００３９】
前記左右アーム７ｂ、７ｃ及び枕本体７は伸縮性と弾力性に富んだ素材であるウレタンにより一体成形されており、変形することができる。尚、前述の前アーム７ｄと同じように、左右アーム７ｂ、７ｃ及び枕本体７についても伸縮性と弾力性に富む素材であればよく、特にウレタンに限定したものではない。
【００４０】
以上のように、シャンプーボウル用枕１ａは、前記シャンプーボウル１と外形は同じであるが、内部に芯板４、前芯板４ａ、左右突出板４ｃ、４ｄを備えていない。ウレタンによる一体成形のため内部に水などが浸入することがなく、また芯板の類を使用しないため軽量で清掃や保管など取り扱いが容易である。
【００４１】
芯板等を使用していないため一定の形状を保つ強度を補うため、本発明ではウレタンによる一体成形とし、通常の状態では図８に示したような形状を保つことができるようにした。但し、前述のように特にウレタンによる一体成形に限定したものではなく、一定の強度を保ち、伸縮性及び弾力性のある素材であればよい。
【実施例３】
【００４２】
図１１は本発明であるシャンプーボウル用枕の第３実施例の正面図、図１２はシャンプーボウル用枕の第３実施例の背面図、図１３はシャンプーボウル用枕の第３実施例の平面図、図１４はシャンプーボウル用枕の第３実施例の底面図、図１５はシャンプーボウル用枕の第３実施例の左側面図である。
【００４３】
図１１から図１５に示すように、本発明であるシャンプーボウル用枕１ｂは先端に連結部材１０ｃを介して左吸盤１０ｂを備えた左アーム１０及び先端に連結部材１１ｃを介して右吸盤１１ｂを備えた右アーム１１を左右に連結し更に先端背面側に連結部材１２ｂを介して下吸盤１２ａを備え背面に連結シール１２ｅを取り付けた下アーム１２を下部に連結した枕本体９ａと前記枕本体９ａの上面に被せて取り付ける枕本体カバー９とからなり正面及び背面より見た場合略Ｔ字状をしている。
【００４４】
前記左アーム１０は変形可能な平板状をしており先端部分は肉厚の左拡張部１０ａを形成している。左拡張部１０ａの中央は左連結部１０ｄとしてやや突出しており左連結部１０ｄの中心に円形の挿入孔１０ｇを穿設している。
【００４５】
左吸盤１０ｂの吸盤連結突起１０ｅは前記左連結部１０ｄの挿入孔１０ｇに嵌入され連結部材１０ｃ、１０ｃにより連結されている。尚、左吸盤１０ｂと左連結部１０ｄの連結状態は右吸盤１１ｂと右連結部１１ｄの連結と同様であり、詳細は図１６のＥ−Ｅ線の断面拡大図で説明することとする。
【００４６】
右アーム１１は前記左アーム１０と同形同大である。即ち、右アーム１１は変形可能な平板状をしており先端部分は肉厚の右拡張部１１ａを形成している。右拡張部１１ａの中央は右連絡部１１ｄとしてやや突出しており右連結部１１ｄの中央に円形の挿入孔１１ｇを穿設している。
【００４７】
右吸盤１１ｂの吸盤連結突起１１ｅは前記右連結部１１ｄの挿入孔１１ｇに嵌入され連結部材１１ｃ、１１ｃにより連結されている。尚、右吸盤１１ｂと右連結部１１ｄの連結状態の詳細については図１６のＥ−Ｅ線断面拡大図で説明することとする。
【００４８】
下アーム１２は変形可能な平板状をしており先端に向かって幅が狭くなっている。下アーム先端部１２ｄは肉厚となっており背面側の中央には四角形の挿入孔１２ｊが穿設されており、下吸盤１２ａの吸盤連結突起１２ｇが陥入され連結部材１２ｂ、１２ｂにより連結されている。
【００４９】
また、図１５に示すように緩やかの湾曲した前記下アーム１２の背面側には連結シール１２ｅが取り付けられている。この連結シール１２ｅの相手方である受け側連結シール１２ｆは本発明を取り付けるシャンプーボウル１３に取付け、受け側連結シール１２ｆ部分に連結シール１２ｅ部分を重ねて本発明を取り付ける。尚、前記連結シール１２ｅ及び受け側連結シール１２ｆはマジックテープ（商標登録）や両面テープのような部材を指し、何度でも着脱が可能な部材である。また、連結シール１２ｅ及び受け側連結シール１２ｆは使用しなくても良い。
【００５０】
次に図１６から図１９を使用して本発明であるシャンプーボウル用枕１ｂの各部分の構造と使用方法を説明することとする。図１６は本発明であるシャンプーボウル用枕の第３実施例のＥ−Ｅ線の断面拡大図、図１７はシャンプーボウル用枕の第３実施例のＦ−Ｆ線の断面拡大図、図１８はシャンプーボウル用枕の第３実施例のＧ−Ｇ線の断面拡大図、図１９はシャンプーボウル用枕の第３実施例の使用状態を示した図である。
【００５１】
図１６に示すように右アーム１１と右吸盤１１ｂの連結は、右アーム１１の先端部を形成する右拡張部１１ａに穿設された挿入孔１１ｇに右吸盤１１ｂの吸盤連結突起１１ｅを挿入し前記右拡張部１１ａの上下に穿設された孔と吸盤連結突起１１ｅに穿設された孔に連結軸１１ｆを挿通し前記連結軸１１ｆの上下を連結部材１１ｃ、１１ｃで留めて連結する。
【００５２】
図示はしていないが、前記左アーム１０と左吸盤１０ｂの連結は前記右アーム１１と右吸盤１１ｂの連結方法と同様である。即ち、左アーム１０の先端部を形成する左拡張部１０ａに穿設された挿入孔１０ｇに左吸盤１０ｂの吸盤連結突起１０ｅを挿入し前記左拡張部１０ａの上下に穿設された孔と吸盤連結突起１０ｅに穿設された孔に連結軸１０ｆを挿通し前記連結軸１０ｆの上下を連結部材１０ｃ、１０ｃで留めて連結する。
【００５３】
尚、図１６に示すように、枕本体９ａの下アーム１２が設けられている面である底面部分には直角状の底面部９ｂが形成されている。
【００５４】
図１７に示すように、下アーム１２と下吸盤１２ａの連結は、下アーム１２の先端部を形成する下アーム先端部１２ｄに穿設された挿入孔１２ｊに下吸盤１２ａの吸盤連結突起１２ｇを挿入し前記下アーム先端部１２ｄの左右に穿設された孔と吸盤連結突起１２ｇに穿設された孔に連結軸１２ｃを挿通し前記連結軸１２ｃの左右を連結部材１２ｂ、１２ｂで留めて連結する。
【００５５】
図１８に示すように、前記枕本体９ａの上面には枕本体カバー９が取り付けられている。枕本体９ａは底面に複数の孔９ｃ、９ｃ、９ｃが穿設され内部が空間９ｄとなっており更に底面より上方に向かって複数の突起が起立して形成されている。前記突起は左より左突起９ｈ、左中間突起９ｆ、中央突起９ｅ、右中間突起９ｇ、右突起９ｉからなる。また、前記枕本体９ａの左右枠の上面には左枠突起９ｊ及び右枠突起９ｋが形成されている。
【００５６】
一方、前記枕本体カバー９の底面には左右枠突起受け９ｌ、９ｍが形成され、更に枕本体カバー９の底面中間部には左右突起受け９ｎ、９ｏが形成されている。枕本体９ａに枕本体カバー９を取り付ける際に左枠突起９ｊは左枠突起受け９ｌ内に貫入され右枠突起９ｋは右枠突起受け９ｍ内に貫入された状態となっている。
【００５７】
また、前記左突起９ｈの上端は左突起受け９ｎ内に貫入され右突起９ｉの上端は右突起受け９ｏ内に貫入されており、左右中間突起９ｆ、９ｇ及び中央突起９ｅの上端は枕本体カバー９の底面に接触した状態となっている。
【００５８】
図１９に示すように、本発明であるシャンプーボウル用枕１ｂの枕本体９ａを枕本体カバー９が上面となる状態でシャンプーボウル１３の首載せ部分の内側に位置させ、同時に左右アーム１０、１１をシャンプーボウル１３の内壁面１３ａに吸着させる。次に下アーム１２を首載せ部分の上面を通してシャンプーボウル１３の正面側に出し下アーム１２の先端部分を下方に引っ張りシャンプーボウル１３の外壁面１３ｂに下吸盤１２ａを吸着させて固定する。
【００５９】
尚、前記下アーム１２に取り付けられた連結シール１２ｅの相手方である受け側連結シール１２ｆはシャンプーボウル１３の首載せ部分に貼り付け、シャンプーボウル用枕１ｂの固定を強化している。
【実施例４】
【００６０】
図２０は本発明であるシャンプーボウル用枕の第４実施例の正面図、図２１はシャンプーボウル用枕の第４実施例の背面図、図２２はシャンプーボウル用枕の第４実施例の平面図、図２３はシャンプーボウル用枕の第４実施例の底面図、図２４はシャンプーボウル用枕の第４実施例の左側面図、図２５はシャンプーボウル用枕の第４実施例の使用状態を示した図である。
【００６１】
図２０から図２４に示すように、本発明であるシャンプーボウル用枕１ｃは、先端背面側に連結部材１５ｂを介して上吸盤１５ａを備えた上アーム１５を上部に連結し更に先端背面側に連結部材１６ｂを介して下吸盤１６ａを備え背面に連結シール１６ｅを取り付けた下アーム１６を下部に連結した枕本体１４ａと前記枕本体１４ａの上面に被せて取り付ける枕本体カバー１４とからなる。
【００６２】
上記上アーム１５は変形可能な平板状をしており先端に向かって幅が狭くなっている。上アーム先端部１５ｄは肉厚となっており背面側の中央には四角形の挿入孔１５ｆが穿設さえれており、上吸盤１５ａの吸盤連結突起１５ｅが貫入され連結軸１５ｃ及び連結部材１５ｂ、１５ｂにより連結されている。
【００６３】
前記下アーム１６は変形可能な平板状をしており先端に向かって幅が狭くなっている。下アーム先端部１６ｄは肉厚となっており背面側の中央には四角形の挿入孔１６ｉが穿設されており、下吸盤１６ａの吸盤連結突起１６ｈが貫入され連結軸１６ｃ及び連結部材１６ｂ、１６ｂにより連結されている。
【００６４】
図２１に示すように、前記枕本体１４ａの背面には複数の孔１４ｃが穿設され、図示はしないが枕本体１４ａの内部は空間となっており複数の突起が形成されている。また、枕本体１４ａの底面部の上部中央には上平坦部１４ｄが形成され下部中央には下平坦部１４ｂが形成されている。
【００６５】
図２４に示すように、前記上下アーム１５、１６は緩やかに湾曲した形状をし、下アーム１６の背面側には連結シール１６ｅが取り付けられている。この連結シール１６ｅの相手方である受け側連結シール１６ｆは本発明を設置するシャンプーボウル１３に取り付け、受け側連結シール１６ｆ部分に連結シール１６ｅを重ねて本発明の固定を強化する。尚連結シール１６ｅ及び受け側連結シール１６ｆはマジックテープ（商標登録）や両面テープのような部材を指し、何度でも着脱が可能な部材である。また、連結シール１６ｅ及び受け側連結シール１６ｆは使用しなくてもよい。
【００６６】
図２５に示すように、本発明であるシャンプーボウル用枕１ｃを取り付けるには、まず枕本体カバー１４が上部に位置した状態で枕本体１４ａをシャンプーボウル１３の首載せ部分内側に位置させ、上アーム１５の上吸盤１５ａをシャンプーボウル１３の内壁面１３ａに吸着させる。次に下アーム１６を首載せ部分の上側を通してシャンプーボウル１３の正面下側へ引っ張り下吸盤１６ａをシャンプーボウル１３の外面壁１３ｂに吸着させて固定する。
【００６７】
尚、前記下アーム１６に取り付けられた連結シール１６ｅの相手方である受け側連結シール１６ｆはシャンプーボウル１３の首載せ部分に貼り付け、シャンプーボウル用枕１ｃの固定を強化している。
【実施例５】
【００６８】
図２６は本発明であるシャンプーボウル用枕の第５実施例の正面図、図２７はシャンプーボウル用枕の第５実施例の背面図、図２８はシャンプーボウル用枕の第５実施例の平面図、図２９はシャンプーボウル用枕の第５実施例の底面図、図３０はシャンプーボウル用枕の第５実施例の左側面図、図３１はシャンプーボウル用枕の第５実施例のＨ−Ｈ線の断面図、図３２はシャンプーボウル用枕の第５実施例の使用状態を示した図である。
【００６９】
図２６から図３０に示すように、本発明であるシャンプーボウル用枕１ｄは背面側に左右吸盤１８ａ、１８ｂを取り付けた前面平坦部１７ａを形成し、正面側中央に中央吸盤１８を取り付けた背面突出部１７ｂを形成した枕本体１７からなる。
【００７０】
図２６に示すようにシャンプーボウル用枕１ｄは正面より見た場合半円の左右端部１７ｃ、１７ｄがつり上がった形状をしており中央部分が緩やかな湾曲形状をしている。また、図２７及び図２８に示すように、シャンプーボウル用枕１ｄの背面側は後方に向かって大きく張り出している。特に大きく張り出した部分を後面先端部１７ｅとした。
【００７１】
図２９から図３１に示すように、前面平坦部１７ａの背面側に取り付けられた左右吸盤１８ａ、１８ｂと後面突出部１７ｂの正面側に取り付けた中央吸盤１８は吸盤面が反対方向を向いて取り付けられている。
【００７２】
図３２に示すように、本発明であるシャンプーボウル用枕１ｄは前面平坦部１７ａと後面突出部１７ｂでシャンプーボウル１３の首載せ部分を挟み後面突出部１７ｄがシャンプーボウル１３内に位置するように固定する。
【００７３】
その際、前面平坦部１７ａの左右吸盤１８ａ、１８ｂはシャンプーボウル１３の外壁面１３ｂに吸着され後面突出部１７ｂの中央吸盤１８はシャンプーボウル１３の内壁面１３ａに吸着されている。
【実施例６】
【００７４】
図３３は本発明であるシャンプーボウル用枕の第６実施例の正面図、図３４はシャンプーボウル用枕の第６実施例の左側面図である。
【００７５】
図３３及び図３４に示すように本発明であるシャンプーボウル用枕１ｅは前記実施例３で示したシャンプーボウル用枕１ｂとほぼ同じ形状をしている。即ち、本発明であるシャンプーボウル用枕１ｅは先端に連結部材１０ｃを介して左吸盤１０ｂを備えた左アーム１０及び先端に連結部材１１ｃを介して右吸盤１１ｂを備えた右アーム１１を左右に連結し更に先端背面側に連結部材１２ｂを介して２つの下吸盤１２ａ、１２ａを備えた下アーム１２を下部に連結した枕本体９ａと前記枕本体９ａの上面に被せて取り付ける枕本体カバー９とからなり正面及び背面より見た場合略Ｔ字状をしている。
【００７６】
前記左アーム１０は変形可能な平板状をしており先端部分は肉厚の左拡張部１０ａを形成している。左拡張部１０ａの中央は左連結部１０ｄとしてやや突出しており左連結部１０ｄの中心に円形の挿入孔１０ｇを穿設している。
【００７７】
左吸盤１０ｂの吸盤連結突起１０ｅは前記左連結部１０ｄの挿入孔１０ｇに嵌入され連結部材１０ｃ、１０ｃにより連結されている。尚、左吸盤１０ｂと左連結部１０ｄの連結状態は右吸盤１１ｂと右連結部１１ｄの連結と同様であり、詳細は図１６のＥ−Ｅ線の断面拡大図で説明済みである。
【００７８】
右アーム１１は前記左アーム１０と同形同大である。即ち、右アーム１１は変形可能な平板状をしており先端部分は肉厚の右拡張部１１ａを形成している。右拡張部１１ａの中央は右連絡部１１ｄとしてやや突出しており右連結部１１ｄの中央に円形の挿入孔１１ｇを穿設している。
【００７９】
右吸盤１１ｂの吸盤連結突起１１ｅは前記右連結部１１ｄの挿入孔１１ｇに嵌入され連結部材１１ｃ、１１ｃにより連結されている。尚、右吸盤１１ｂと右連結部１１ｄの連結状態の詳細については図１６のＥ−Ｅ線断面拡大図で説明済みである。
【００８０】
下アーム１２は変形可能な平板状をしており先端に向かって幅が狭くなっている。下アーム先端部１２ｄは肉厚となっており背面側の中央には四角形の挿入孔１２ｊが穿設されており、下吸盤１２ａの吸盤連結突起１２ｇが陥入され連結部材１２ｂ、１２ｂにより連結されている。
【００８１】
また、下アーム１２の背面側中央付近には肉厚の下アーム連結突起部１２ｈを形成しており前記下アーム連結突起１２ｈの中央には四角形の挿入孔１２ｊが穿設されている。下アーム連結突起１２ｈの挿入孔１２ｊには下吸盤１２ａの吸盤連結突起１２ｇが貫入され連結部材１２ｂ、１２ｂにより連結されている。
【００８２】
以上のように、シャンプーボウル用枕１ｅは前記シャンプーボウル用枕１ｂの下アーム１２に取り付けられていた連結シール１２ｅに代えて下アーム１２の背面中央付近にも下吸盤１２ａを取り付けたシャンプーボウル用枕である。
【実施例７】
【００８３】
図３５は本発明であるシャンプーボウル用枕の第７実施例の正面図、図３６はシャンプーボウル用枕の第７実施例の左側面図である。
【００８４】
図３５及び図３６に示すように本発明であるシャンプーボウル用枕１ｆは前記実施例４で示したシャンプーボウル用枕１ｃとほぼ同じ形状をしている。即ち、本発明であるシャンプーボウル用枕１ｆは、先端背面側に連結部材１５ｂを介して上吸盤１５ａを備えた上アーム１５を上部に連結し更に先端背面側に連結部材１６ｂを介して２つの下吸盤１６ａ、１６ａを備えた下アーム１６を下部に連結した枕本体１４ａと前記枕本体１４ａの上面に被せて取り付ける枕本体カバー１４とからなる。
【００８５】
上記上アーム１５は変形可能な平板状をしており先端に向かって幅が狭くなっている。上アーム先端部１５ｄは肉厚となっており背面側の中央には四角形の挿入孔１５ｆが穿設さえれており、上吸盤１５ａの吸盤連結突起１５ｅが貫入され連結軸１５ｃ及び連結部材１５ｂ、１５ｂにより連結されている。
【００８６】
前記下アーム１６は変形可能な平板状をしており先端に向かって幅が狭くなっている。下アーム先端部１６ｄは肉厚となっており背面側の中央には四角形の挿入孔１６ｉが穿設されており、下吸盤１６ａの吸盤連結突起１６ｈが貫入され連結軸１６ｃ及び連結部材１６ｂ、１６ｂにより連結されている。
【００８７】
また、下アーム１６の背面中央付近には肉厚の下アーム連結突起部１６ｇが形成されており下アーム連結突起部１６ｇの中央には四角形の挿入孔１６ｉが穿設されている。下アーム連結突起部１６ｇの挿入孔１６ｉには下吸盤１６ａの吸盤連結突起１６ｈが貫入され連結部材１６ｂ、１６ｂにより連結されている。
【００８８】
以上のように、シャンプーボウル用枕１ｆは前記シャンプーボウル用枕１ｃの下アーム１６に取り付けられていた連結シール１６ｅに代えて下アーム１６の背面中央付近にも下吸盤１６ａを取り付けたシャンプーボウル用枕である。
【実施例８】
【００８９】
図３７は本発明であるシャンプーボウル用枕の第８実施例の正面図、図３８はシャンプーボウル用枕の第８実施例の一部拡大斜視図である。
【００９０】
図３７及び図３８に示すように、本発明であるシャンプーボウル用枕１ｇは、前記実施例３で説明したシャンプーボウル用枕１ｂの下アーム１２以外は同じ構造である。即ち、
本発明であるシャンプーボウル用枕１ｇは先端に連結部材１０ｃを介して左吸盤１０ｂを備えた左アーム１０及び先端に連結部材１１ｃを介して右吸盤１１ｂを備えた右アーム１１を左右に連結し更に先端背面側に二股連結部材１９を介して２つの下吸盤２０を備えた下アーム１２を下部に連結した枕本体９ａと前記枕本体９ａの上面に被せて取り付ける枕本体カバー９とからなる。
【００９１】
前記左アーム１０は変形可能な平板状をしており先端部分は肉厚の左拡張部１０ａを形成している。左拡張部１０ａの中央は左連結部１０ｄとしてやや突出しており左連結部１０ｄの中心に円形の挿入孔１０ｇを穿設している。
【００９２】
左吸盤１０ｂの吸盤連結突起１０ｅは前記左連結部１０ｄの挿入孔１０ｇに嵌入され連結部材１０ｃ、１０ｃにより連結されている。尚、左吸盤１０ｂと左連結部１０ｄの連結状態は右吸盤１１ｂと右連結部１１ｄの連結と同様であり、詳細は図１６のＥ−Ｅ線の断面拡大図で説明済みである。
【００９３】
右アーム１１は前記左アーム１０と同形同大である。即ち、右アーム１１は変形可能な平板状をしており先端部分は肉厚の右拡張部１１ａを形成している。右拡張部１１ａの中央は右連絡部１１ｄとしてやや突出しており右連結部１１ｄの中央に円形の挿入孔１１ｇを穿設している。
【００９４】
右吸盤１１ｂの吸盤連結突起１１ｅは前記右連結部１１ｄの挿入孔１１ｇに嵌入され連結部材１１ｃ、１１ｃにより連結されている。尚、右吸盤１１ｂと右連結部１１ｄの連結状態の詳細については図１６のＥ−Ｅ線断面拡大図で説明済みである。
【００９５】
下アーム１２は変形可能な平板状をしており先端に向かって幅が狭くなっている。下アーム先端部１２ｄは肉厚となっており背面側の中央には四角形の挿入孔１２ｊが穿設されており、二股に分かれた二股連結部材１９の連結部１９ａが陥入され連結部１９ａに穿設された連結孔１９ｉに連結軸１２ｋ及び軸受け１２ｌを挿通し連結されている。
【００９６】
前記二股連結部１９は左右連結部１９ｂ、１９ｃを形成しており、前記左右連結部１９ｂ、１９ｃにはそれぞれ正面から背面にかけて貫通した左右左右連結孔１９ｄ、１９ｅが穿設されている。
【００９７】
また、左右連結部１９ｂ、１９ｃの底面には挿入孔１９ｈが穿設されており下吸盤２０の吸盤連結突起２０ａが貫入されている。前記吸盤連結突起２０ａには孔２０ｂが穿設されており、挿入孔１９ｈに貫入した後、左連結孔１９ｄ及び孔２０ｂに連結軸１９ｆを挿入し背面より軸受け１９ｇで固定することにより二股連結部材１９と下吸盤２０は連結される。
【００９８】
また、同様に右連結孔１９ｅ及び孔２０ｂに連結軸１９ｆを挿入し背面より軸受け１９ｇで固定することにより二股連結部材１９と下吸盤２０は連結される。
【００９９】
以上のように左右吸盤１０ｂ、１１ｂを備えた左右アーム１０、１１及び２つの下吸盤２０、２０を備えた下アーム１２により枕本体カバー９を取り付けた枕本体９ａをシャンプーボウル１３に更に安定して固定することができる。
【図面の簡単な説明】
【０１００】
【図１】本発明であるシャンプーボウル用枕の斜視図である。
【図２】本発明であるシャンプーボウル用枕の正面図である。
【図３】本発明であるシャンプーボウル用枕の平面図である。
【図４】本発明であるシャンプーボウル用枕の左側面図である。
【図５】本発明であるシャンプーボウル用枕のＡ−Ａ線断面図である。
【図６】本発明であるシャンプーボウル用枕のＢ−Ｂ線断面図である。
【図７】本発明であるシャンプーボウル用枕を使用した状態を示した図である。
【図８】本発明であるシャンプーボウル用枕の第２実施例の斜視図である。
【図９】本発明であるシャンプーボウル用枕の第２実施例のＣ−Ｃ線断面図である。
【図１０】本発明であるシャンプーボウル用枕の第２実施例のＤ−Ｄ線断面図である。
【図１１】本発明であるシャンプーボウル用枕の第３実施例の正面図である。
【図１２】本発明であるシャンプーボウル用枕の第３実施例の背面図である。
【図１３】本発明であるシャンプーボウル用枕の第３実施例の平面図である。
【図１４】本発明であるシャンプーボウル用枕の第３実施例の底面図である。
【図１５】本発明であるシャンプーボウル用枕の第３実施例の左側面図である。
【図１６】本発明であるシャンプーボウル用枕の第３実施例のＥ−Ｅ線の断面拡大図である。
【図１７】本発明であるシャンプーボウル用枕の第３実施例のＦ−Ｆ線の断面拡大図である。
【図１８】本発明であるシャンプーボウル用枕の第３実施例のＧ−Ｇ線の断面拡大図である。
【図１９】本発明であるシャンプーボウル用枕の第３実施例の使用状態を示した図である。
【図２０】本発明であるシャンプーボウル用枕の第４実施例の正面図である。
【図２１】本発明であるシャンプーボウル用枕の第４実施例の背面図である。
【図２２】本発明であるシャンプーボウル用枕の第４実施例の平面図である。
【図２３】本発明であるシャンプーボウル用枕の第４実施例の底面図である。
【図２４】本発明であるシャンプーボウル用枕の第４実施例の左側面図である。
【図２５】本発明であるシャンプーボウル用枕の第４実施例の使用状態を示した図である。
【図２６】本発明であるシャンプーボウル用枕の第５実施例の正面図である。
【図２７】本発明であるシャンプーボウル用枕の第５実施例の背面図である。
【図２８】本発明であるシャンプーボウル用枕の第５実施例の平面図である。
【図２９】本発明であるシャンプーボウル用枕の第５実施例の底面図である。
【図３０】本発明であるシャンプーボウル用枕の第５実施例の左側面図である。
【図３１】本発明であるシャンプーボウル用枕の第５実施例のＨ−Ｈ線の断面図である。
【図３２】本発明であるシャンプーボウル用枕の第５実施例の使用状態を示した図である。
【図３３】本発明であるシャンプーボウル用枕の第６実施例の正面図である。
【図３４】本発明であるシャンプーボウル用枕の第６実施例の左側面図である。
【図３５】本発明であるシャンプーボウル用枕の第７実施例の正面図である。
【図３６】本発明であるシャンプーボウル用枕の第７実施例の左側面図である。
【図３７】本発明であるシャンプーボウル用枕の第８実施例の正面図である。
【図３８】本発明であるシャンプーボウル用枕の第８実施例の一部拡大斜視図である。
【符号の説明】
【０１０１】
１      シャンプーボウル用枕
１ａ    シャンプーボウル用枕
１ｂ    シャンプーボウル用枕
１ｃ    シャンプーボウル用枕
１ｄ    シャンプーボウル用枕
１ｅ    シャンプーボウル用枕
１ｆ    シャンプーボウル用枕
１ｇ    シャンプーボウル用枕
２      枕本体
２ａ    凹部
２ｂ    左アーム
２ｃ    右アーム
２ｄ    前アーム
２ｅ    湾曲部
２ｆ    孔
３      吸盤
３ａ    連結部
４      芯板
４ａ    前芯板
４ｂ    孔
４ｃ    左突出板
４ｄ    右突出板
４ｅ    孔
５      シャンプーボウル
６      利用者
７      枕本体
７ａ    凹部
７ｂ    左アーム
７ｃ    右アーム
７ｄ    前アーム
７ｅ    湾曲部
７ｆ    孔
８      吸盤
８ａ    連結部
９      枕本体カバー
９ａ    枕本体
９ｂ    平坦部
９ｃ    孔
９ｄ    空間
９ｅ    中央突起
９ｆ    左中間突起
９ｇ    右中間突起
９ｈ    左突起
９ｉ    右突起
９ｊ    左枠突起
９ｋ    右枠突起
９ｌ    左枠突起受け
９ｍ    右枠突起受け
９ｎ    左突起受け
９ｏ    右突起受け
１０      左アーム
１０ａ    左拡張部
１０ｂ    左吸盤
１０ｃ    連結部材
１０ｄ    左連結部
１０ｅ    吸盤連結突起
１０ｆ    連結軸
１０ｇ    挿入孔
１１      右アーム
１１ａ    右拡張部
１１ｂ    右吸盤
１１ｃ    連結部材
１１ｄ    右連結部
１１ｅ    吸盤連結突起
１１ｆ    連結軸
１１ｇ    挿入孔
１２      下アーム
１２ａ    下吸盤
１２ｂ    連結部材
１２ｃ    連結軸
１２ｄ    下アーム先端部
１２ｅ    連結シール
１２ｆ    受け側連結シール
１２ｇ    吸盤連結突起
１２ｈ    下アーム連結突起部
１２ｉ    孔
１２ｊ    挿入孔
１２ｋ    連結軸
１２ｌ    軸受け
１３      シャンプーボウル
１３ａ    内壁面
１３ｂ    外壁面
１４      枕本体カバー
１４ａ    枕本体
１４ｂ    下平坦部
１４ｃ    孔
１４ｄ    上平坦部
１５      上アーム
１５ａ    上吸盤
１５ｂ    連結部材
１５ｃ    連結軸
１５ｄ    上アーム先端部
１５ｅ    吸盤連結突起
１５ｆ    挿入孔
１６      下アーム
１６ａ    下吸盤
１６ｂ    連結部材
１６ｃ    連結軸
１６ｄ    下アーム先端部
１６ｅ    連結シール
１６ｆ    受け側連結シール
１６ｇ    下アーム連結突起部
１６ｈ    吸盤連結突起
１６ｉ    挿入孔
１７      枕本体
１７ａ    前面平坦部
１７ｂ    後面突出部
１７ｃ    左端部
１７ｄ    右端部
１７ｅ    後面先端部
１８      中央吸盤
１８ａ    左吸盤
１８ｂ    右吸盤
１９      二股連結部材
１９ａ    連結部
１９ｂ    左連結部
１９ｃ    右連結部
１９ｄ    左連結孔
１９ｅ    右連結孔
１９ｆ    連結軸
１９ｇ    軸受け
１９ｈ    挿入孔
１９ｉ    連結孔
２０      下吸盤
２０ａ    吸盤連結突起
２０ｂ    孔
【図１】
2008086746.tif 000003
【図２】
2008086746.tif 000004
【図３】
2008086746.tif 000005
【図４】
2008086746.tif 000006
【図５】
2008086746.tif 000007
【図６】
2008086746.tif 000008
【図７】
2008086746.tif 000009
【図８】
2008086746.tif 000010
【図９】
2008086746.tif 000011
【図１０】
2008086746.tif 000012
【図１１】
2008086746.tif 000013
【図１２】
2008086746.tif 000014
【図１３】
2008086746.tif 000015
【図１４】
2008086746.tif 000016
【図１５】
2008086746.tif 000017
【図１６】
2008086746.tif 000018
【図１７】
2008086746.tif 000019
【図１８】
2008086746.tif 000020
【図１９】
2008086746.tif 000021
【図２０】
2008086746.tif 000022
【図２１】
2008086746.tif 000023
【図２２】
2008086746.tif 000024
【図２３】
2008086746.tif 000025
【図２４】
2008086746.tif 000026
【図２５】
2008086746.tif 000027
【図２６】
2008086746.tif 000028
【図２７】
2008086746.tif 000029
【図２８】
2008086746.tif 000030
【図２９】
2008086746.tif 000031
【図３０】
2008086746.tif 000032
【図３１】
2008086746.tif 000033
【図３２】
2008086746.tif 000034
【図３３】
2008086746.tif 000035
【図３４】
2008086746.tif 000036
【図３５】
2008086746.tif 000037
【図３６】
2008086746.tif 000038
【図３７】
2008086746.tif 000039
【図３８】
2008086746.tif 000040